(57)【要約】【課題】床面の油汚れや床面にこびりついた汚れを拭き取ることができると共に、電装部品の絶縁性に問題が生じることを防止することができる床用吸込具を提供することを課題とする。【解決手段】下面に吸込口３を有する吸込具ケース４と、吸込口３を避けた位置の吸込具ケース４下面に回転自在に配設されると共に、ウエットシート９を巻き付け可能に構成された回転体６と、駆動伝達手段７を介して回転体６を回転させる駆動手段８と、吸込具ケース４下面に設けられ、回転体６と吸込口３とを仕切る仕切壁１６とを備える。【選択図】         図１
2005304954.tif 000002
【特許請求の範囲】
【請求項１】
下面に吸込口を有する吸込具ケースと、吸込口を避けた位置の吸込具ケース下面に回転自在に配設されると共に、ウェットシートを巻き付け可能に構成された回転体と、駆動伝達手段を介して回転体を回転させる駆動手段と、吸込具ケース下面に設けられ、回転体と吸込口とを仕切る仕切壁とを備えたことを特徴とする床用吸込具。
【請求項２】
前記回転体は、吸込口に対して逆方向に回転するように構成されていることを特徴とする請求項１記載の床用吸込具。
【請求項３】
前記ウェットシートが巻き付けられる回転体の外周面は、起毛繊維により構成されていることを特徴とする請求項１または請求項２記載の床用吸込具。
【請求項４】
前記起毛繊維は、撥水性を有することを特徴とする請求項１乃至請求項３の何れか１項に記載の床用吸込具。
【請求項５】
前記回転体は、ウェットシートを巻き付けない場合には床面に接しないと共に、ウェットシートを巻き付けた場合にはウェットシートが床面に接する位置に配設されていることを特徴とする請求項１乃至請求項４の何れか１項に記載の床用吸込具。
【請求項６】
前記回転体の幅は、市販のウェットシートの幅より広い２００ｍｍ以上に形成されていることを特徴とする請求項１乃至請求項５の何れか１項に記載の床用吸込具。
【請求項７】
前記回転体に対応する位置の吸込具ケースの上面は、少なくとも一部が透明に形成されていることを特徴とする請求項１乃至請求項６の何れか１項に記載の床用吸込具。
【請求項８】
前記吸込口には前記駆動手段により回転する回転ブラシが配設され、回転ブラシにウェットシートが巻き付いた場合にウェットシートを引掛けて回転ブラシの回転を止める回転阻止部を吸込口に突出形成したことを特徴とする請求項１乃至請求項７の何れか１項に記載の床用吸込具。
【請求項９】
前記回転体の回転速度は回転ブラシの回転速度より遅くなるように構成されていることを特徴とする請求項１乃至請求項８の何れか１項に記載の床用吸込具。
【発明の詳細な説明】
【技術分野】
【０００１】
本発明は、電機掃除機等の床用吸込具に関し、特に床面を拭き取ることができる床用吸込具に関する。
【背景技術】
【０００２】
従来、この種電気掃除機の床用吸込具は、吸込具ケースの下面に形成された吸込口に回転ブラシを配設すると共に、回転ブラシに隣接する位置の吸込具ケースの下面に起毛繊維からなる拭き取り部材を配設し、拭き取り部材を回転ブラシの方向に回転させることにより床面を拭き取ると共に、拭き取り部材によって回転ブラシの方向へ掻き上げられたごみを回転ブラシを介して吸込口から掃除機本体側に吸引することにより効率的に掃除ができるようになされている（例えば、特許文献１参照）。
【特許文献１】特開平３−２２８７２１号公報
【発明の開示】
【発明が解決しようとする課題】
【０００３】
しかしながら、乾いた状態の拭き取り部材では床面の油汚れや床面にこびりついた汚れを取り除くことができない欠点があった。
【０００４】
また、何らかの固定方法によってウェットシートを拭き取り部材の外周面に装着することにより、上記欠点を解消する方法が考えられるが、この構成にすると、拭き取り部材の遠心力によってウェットシートから飛び出た水分が回転ブラシを介して吸込口から掃除機本体側に吸引されてしまい、電装部品の絶縁性に問題が生じる虞がある。
【０００５】
本発明は、このような課題を解決するためになされたものであり、床面の油汚れや床面にこびりついた汚れを拭き取ることができると共に、電装部品の絶縁性に問題が生じることを防止することができる床用吸込具を提供することを課題とする。
【課題を解決するための手段】
【０００６】
上記課題を解決するための第１の手段は、下面に吸込口を有する吸込具ケースと、吸込口を避けた位置の吸込具ケース下面に回転自在に配設されると共に、ウェットシートを巻き付け可能に構成された回転体と、駆動伝達手段を介して回転体を回転させる駆動手段と、吸込具ケース下面に設けられ、回転体と吸込口とを仕切る仕切壁とを備えたことを特徴とする。
【０００７】
上記課題を解決するための第１の手段において、前記回転体は、吸込口に対して逆方向に回転するように構成されてもよい。
【０００８】
また、前記ウェットシートが巻き付けられる回転体の外周面は、起毛繊維により構成されてもよい。
【０００９】
また、前記起毛繊維は、撥水性を有してもよい。
【００１０】
また、前記回転体は、ウェットシートを巻き付けない場合には床面に接しないと共に、ウェットシートを巻き付けた場合にはウェットシートが床面に接する位置に配設されてもよい。
【００１１】
また、前記回転体の幅は、市販のウェットシートの幅より広い２００ｍｍ以上に形成されてもよい。
【００１２】
また、前記回転体に対応する位置の吸込具ケースの上面は、少なくとも一部が透明に形成されてもよい。
【００１３】
また、前記吸込口には前記駆動手段により回転する回転ブラシが配設され、回転ブラシにウェットシートが巻き付いた場合にウェットシートを引掛けて回転ブラシの回転を止める回転阻止部を吸込口に突出形成してもよい。
【００１４】
また、前記回転体の回転速度は回転ブラシの回転速度より遅くなるように構成されてもよい。
【発明の効果】
【００１５】
本発明の請求項１の構成によると、吸込具ケースの下面に吸込口と回転体とを仕切る仕切壁を形成したため、ウェットシートから飛び出た水分を仕切壁により遮って水分が吸込口を介して掃除機本体側に吸込まれることを防止することができる等の効果を奏する。
【００１６】
本発明の請求項２に構成によると、回転体は吸込口に対して逆方向側へ回転するようになっており、ウェットシートから飛び出る水分は吸込口とは反対側へ飛散するため、水分が吸込口を介して掃除機本体側に吸込まれることを確実に防止することができる等の効果を奏する。
【００１７】
本発明の請求項３の構成によると、回転体の外周面には起毛繊維が配設されているため、起毛繊維の摩擦抵抗により回転体にウェットシートを巻き付け易くすることができる。また、ウェットシートの厚みは製造するメーカーにより異なるが、起毛繊維のクッション性によりウェットシートの厚みの違いを吸収することができるため、ウェットシートの床面への押圧力を略一定にすることができる等の効果を奏する。
【００１８】
本発明の請求項４の構成によると、回転体の起毛繊維は撥水加工しているため、起毛繊維に水分が付着することによる起毛繊維のへたりを防止することができ、回転体の起毛繊維のクッション性を維持させることができる。このため、回転体に巻き付けられたウェットシートの床面への押圧力を確実に略一定にすることができる等の効果を奏する。
【００１９】
本発明の請求項５の構成によると、回転体は、ウェットシートを巻き付けない場合には床面に接しない位置に配設されているため、回転体が不必要に床面に接することによる回転体の消耗を極力抑制することができる等の効果を奏する。
【００２０】
本発明の請求項６の構成によると、一般に市販されているウエットシートの幅は製造するメーカーにより異なるが、全てのメーカーのウエットシートを後加工することなくそのまま使用することができる等の効果を奏する。
【００２１】
本発明の請求項７の構成によると、回転体へのウェットシートの巻き付けの有無は、のぞき窓により床用吸込具の上方から容易に確認することができると共に、ウェットシートの汚れ具合も床用吸込具の上方から容易に確認することができるため、ウェットシートの交換時期が容易に確認することができる等の効果を奏する。
【００２２】
本発明の請求項８の構成によると、何らかの過ちにより回転ブラシにウェットシートが巻き付こうとした場合には、ウェットシートが回転阻止部に引っ掛かって回転ブラシの回転が停止するため、ウェットシートの水分が吸込口から掃除機本体側に吸込まれて電装部品の絶縁性に問題が生じることを防止することができる等の効果を奏する。
【００２３】
本発明の請求項９の構成によると、回転体は回転ブラシより回転速度が遅くなるため、回転ブラシの回転によりウエットシートから周辺に飛び散る水分の量を極力少なくすることができ、ウエットシートからの水分が吸込口から掃除機本体側に吸込まれて電装部品の絶縁性に問題が生じてしまうことを防止することができる等の効果を奏する。
【発明を実施するための最良の形態】
【００２４】
（第１実施形態）
本発明を実施するための第１形態の床用吸込具を図１乃至図８に基づいて説明する。第１実施形態の床用吸込具は、上ケース１と下ケース２からなって吸込口３が下方に形成された横長の吸込具ケース４と、吸込具ケース４の吸込口３に臨ませて吸込具ケース４に回転自在に支持された回転ブラシ５と、吸込口３を避けた位置の吸込具ケース４の下方に回転自在に配設された回転体６と、回転体６を駆動伝達手段７を介して回転させる駆動手段８と、回転体６に着脱自在に巻き付けられるウエットシート９と、吸込具ケース４の後面側略中央に上下自在に且つ回転自在に取付けられ、吸込口３に連通する吸込継手１０とから構成されている（図１、図７参照）。そして、吸込継手１０が図示しない延長管やホースを介して掃除機本体に接続されるようになっている。
【００２５】
回転ブラシ５には、その芯体１１の外周面にブラシ体１２が等分間隔で長手方向に複数本装着されている。（図１参照）。また、回転ブラシ５は、吸込口３を介して吸込継手１０側へ吸引される吸込空気により回転駆動する（図１参照）。この回転ブラシ５が回転することで床面のごみが掻き取られ、吸込口３からごみが効果的に吸込まれることにより効率よく掃除できる。
【００２６】
回転体６のウエットシート９が巻き付けられる外周面の一部には起毛繊維６ａが配設されている。回転体６は、回転体６にウエットシート９を巻き付けない場合には床面に接しないと共に、ウエットシート９を巻き付けた場合にはウエットシート９が床面に接する位置に配設されている（図１、図７参照）。回転体６の後方（図１の右側）には、ウエットシート９を押えるためのブラシ２２が配設されている。
【００２７】
駆動手段８の出力を回転体６に伝達する駆動伝達手段７は、駆動手段８と回転体６との間に回転自在に配設された中間シャフト１３と、駆動手段８の出力を中間シャフト１３に伝達する第１ベルト１４と、中間シャフト１３の回転力を回転体６に伝達する第２ベルト１５とから構成されている（図１，図２参照）。駆動手段８により回転体６は吸込口３に対して逆方向側へ回転するようになっている。回転体６と吸込口３間の吸込具ケース４の下面には、回転体６と吸込口３間を仕切る仕切壁１６が形成されている（図１参照）。
【００２８】
床用吸込具の前後方向（図１の左右方向）への動きを補助する車輪１７は起毛布等の起毛繊維で形成されている。車輪１７及び回転体６の起毛繊維は撥水加工されている。ウエットシート９は、一般に市販されているものの中から使用の好みに応じて選ばれたものが使用される。一般市販品のウエットシート９の幅は全て２００ｍｍ未満であったので、回転体６の幅は２００ｍｍ以上に形成されている。
【００２９】
回転体６へのウエットシート９の巻き付けは、図４及び図５に示すように吸込具ケース４の下方で且つブラシ２２より後方位置までウエットシート９を敷いた後に回転体６を反時計方向に回転させれば、ウエットシート９の後端側は回転体６の回転により後方へ移動しようとするが、ブラシ２２がウエットシート９の後方を押えているため、図１及び図７に示すようにウエットシート９の後端側が撓んで回転体６にウエットシート９が巻き付くようになっている。
【００３０】
このように構成された床用吸込具を使用して掃除する場合、絨毯等を掃除する際には回転ブラシ５を回転させることにより、絨毯等のごみを掻き取り、掻き取ったごみを吸込口３から吸引することで効果的に掃除できる。
【００３１】
また、床面を掃除する場合、ウエットシート９を巻き付けた回転体６を回転させることにより、ウエットシート９の水分によって床面の油汚れや床面にこびりついた汚れを浮かせると共に、回転するウエットシート９により床面の油汚れや床面にこびりついた汚れを効率よく拭き取ることができる。回転体６へのウエットシート９の巻き付けの有無は、のぞき窓１８により床用吸込具の上方から容易に確認することができるようになっている。この結果、誤って回転体６にウエットシート９を巻き付けたまま絨毯を掃除し、絨毯を濡らせてしまうことを防止することができる。また、ウエットシート９の汚れ具合も床用吸込具の上方から容易に確認することができるため、ウエットシート９の交換時期が容易に確認することができるようになっている。
【００３２】
しかしながら、ウエットシート９を巻き付けた回転体６を回転させることにより、ウエットシート９から飛び出た水分が吸込口３を介して掃除機本体側に吸込まれて電装部品の絶縁性に問題が生じる虞があった。
【００３３】
これに対して、第１実施形態では、吸込具ケース４の下面には吸込口３と回転体６とを仕切る仕切壁１６が形成されているため、ウエットシート９から飛び出た水分は仕切壁１６により遮られて、水分が吸込口３を介して掃除機本体側に吸込まれることを防止することができる。また、回転体６は吸込口３に対して逆方向側へ回転するようになっており、ウエットシート９から飛び出る水分は吸込口３とは反対側へ飛散するため、水分が吸込口３を介して掃除機本体側に吸込まれることを確実に防止することができる。
【００３４】
回転体６の外周面には起毛繊維６ａが配設されているため、起毛繊維６ａの摩擦抵抗により回転体６にウエットシート９を巻き付け易くすることができる。また、ウエットシート９の厚みは製造するメーカーにより異なるが、起毛繊維６ａのクッション性によりウエットシート９の厚みの違いを吸収することができるため、ウエットシート９の床面への押圧力を略一定にすることができる。この結果、ウエットシート９の床面への押圧力が高くなることにより、ウエットシート９から多量の水分が飛び出て床面を濡らせてしまうことを防止することができる。また、ウエットシート９を使用しない時に、回転体６が床面等に当接した場合でも床面等を傷つけることを防止することができる。
【００３５】
回転体６の起毛繊維６ａは撥水加工しているため、起毛繊維６ａに水分が付着することによる起毛繊維６ａのへたりを防止することができ、回転体６の起毛繊維６ａのクッション性を維持させることができる。この結果、回転体６に巻き付けられたウエットシート９の床面への押圧力を確実に略一定にすることができる。
【００３６】
車輪１７は従来、ゴム等で形成されていたが、床用吸込具を横方向へ滑らせた際に、床面の硬いごみと共に横滑りをして床面を傷付ける虞があったため、静電植毛を使用し床用吸込具を横方向へ滑らせた際に、硬いごみを静電植毛の中に取り込んで床面の傷付きを防止するようにしていた。しかしながら、本発明のようにウエットシート９を使用するとウエットシート９に使用されている電解水により静電植毛がはげたり、溶けたりする虞があった。そこで第１実施形態の車輪１７は起毛繊維６ａにより形成されている。この車輪１７の起毛繊維も撥水加工しているため、ウエットシート９の水分により起毛繊維のへたりを防止することができ、操作性の低下を防止することができる。
【００３７】
一般に市販されているウエットシート９の幅は製造するメーカーにより異なるが、全てのメーカーのウエットシート９の幅は２００ｍｍ未満であった。そこで、回転体６の幅を２００ｍｍ以上にすることにより全てのメーカーのウエットシート９を後加工することなくそのまま使用することができる。
【００３８】
回転体６は、ウエットシート９を巻き付けない場合には床面に接しない位置に配設されているため、回転体６が不必要に床面に接することによる回転体６の消耗を極力抑制することができる。
【００３９】
また、誤って回転ブラシ５にウエットシート９を巻き付けようとした場合には、吸込口３がウエットシート９によって覆われてしまい回転ブラシ５は回転しないため、回転ブラシ５にウエットシート９が巻き付いてしまうことはない。
【００４０】
尚，第１実施形態では、吸込口３に吸引される空気により回転する回転ブラシ５を吸込口３に配設したが、この構成に限定されるものではない。吸込口３に回転ブラシ５を配設しない構成にしてもよい。
【００４１】
また、回転体６は、回転体６にウエットシート９が巻き付けられている時だけ回転させればよいので誤動作防水のため、回転体６に、例えば発光素子と受光素子からなるウエットシート９巻き付け検知手段を設け、回転体６にウエットシート９が巻き付けられている時だけ回転体６の回転を可能とする構成にしてもよい。
【００４２】
また、図８及び図９に示すように、回転体６の外周前面に起毛繊維６ａを螺旋状に巻きつける構成にしてもよい。この構成であれば糸屑が回転体６に巻き付き難くなると共に、回転体６に巻き付いた糸屑を取り除き易くすることができる。
【００４３】
（第２実施形態）
図９乃至図１４は本発明の第２実施形態を示している。第１実施形態では、駆動手段８の出力を中間シャフト１３を介して回転体６に伝達したが、第２実施形態では、駆動手段８の出力を直接回転体６に伝達すると共に、回転体６の回転力を回転ブラシ５に伝達する構成になっている。また、回転体６と回転ブラシ５は略同じ速度で回転するようになっている。
【００４４】
駆動手段８の出力は第３ベルト１９を介して回転体６の一端に直接伝達される。回転体６の回転力は回転体６の他端から第４ベルト２０を介して回転ブラシ５に伝達される。第２実施形態はこのように駆動を直接伝達するように構成されているため、構成を簡素化することができコンパクト化を図ることができる。また、回転体６の両端に第３ベルト１９と第４ベルト２０が配置されているため、回転体６をバランスよく回転させることができる（図９、図１０参照）。
【００４５】
第１実施形態では、回転ブラシ５にウエットシート９が巻き付いてしまう虞がなかったが、第２実施形態では、誤って回転ブラシ５にウエットシート９が巻き付いて回転ブラシ５が回転してしまう虞がある。そうなれば、ウエットシート９からの水分が吸込口３から掃除機本体側に吸込まれて電装部品の絶縁性に問題が生じてしまう。
【００４６】
これに対して、第２実施形態では、図１１及び図１２に示すように吸込具ケース４の吸込口３に回転ブラシ５側に向けて回転阻止部２１を突出形成している。この構成により、何らかの過ちにより回転ブラシ５にウエットシート９が巻き付こうとした場合には、ウエットシート９が回転阻止部２１に引っ掛かって回転ブラシ５の回転が停止するため、ウエットシート９の水分が吸込口３から掃除機本体側に吸込まれて電装部品の絶縁性に問題が生じることはない。
【００４７】
また、第２実施形態では、図１３及び図１４に示すように回転体６と回転ブラシ５を同じ長さに形成し、回転体６と回転ブラシ５を交換可能に構成している。この結果、壁際を掃除する時、ウエットシート９を巻き付けた回転体６を取り外し、本来回転ブラシ５が配設されていた位置に回転体６を配置することにより壁際まで拭き取ることができる（図１４参照）。但しこの時、掃除機本体を作動させるとウエットシート９の水分が掃除機本体に吸引されてしまうため、回転体６を回転させるだけで掃除機本体を停止させている。
【００４８】
（第３実施形態）
図１５乃至図１８は本発明の第３実施形態を示している。第２実施形態では回転体６と回転ブラシ５は略同じ速度で回転するようになっていたが、第３実施形態では回転体６の回転速度を回転ブラシ５の回転速度より遅くした構成になっている。
【００４９】
駆動手段８は、前後方向に対して回転体６と回転ブラシ５との間に配設されている。駆動手段８の出力は中間歯車２３及び第５ベルト２５を介して回転ブラシ５の回転ブラシ側歯車２６に伝達される。また、駆動手段８の出力は中間歯車２３及び第６ベルト２５を介して回転ブラシ５の回転ブラシ側歯車２６に伝達される。図１５に示すように回転体側歯車２８の方が回転ブラシ側歯車２６より径を大きく形成されているため、回転体６は回転ブラシ５より回転速度が遅くなる。その結果、回転ブラシ６の回転によりウエットシート９から周辺に飛び散る水分の量を極力少なくすることができ、ウエットシート９からの水分が吸込口３から掃除機本体側に吸込まれて電装部品の絶縁性に問題が生じてしまうことを防止することができる。
【００５０】
図１７に示すように、上ケース１の上面には透明なのぞき窓１８が形成されており、のぞき窓１８を介して回転体６へのウエットシート９の巻き付けの有無が確認できるようになっている。また、ウエットシート９の汚れ度合いものぞき窓１８を介して確認することができるようになっている。
【００５１】
尚、愛３実施形態において図１８に示すように、回転ブラシ側歯車２６の方が回転体側歯車２８よりも径を大きく形成して回転体６の方が回転ブラシ５よりも回転速度を速くしてもよい。この構成により回転体６にウエットシート９を巻き付ける際、ウエットシート９にしわを生じさせることなく回転体６により引張ってウエットシート９を回転体６に巻き付けることができるため、ウエットシート９の巻き付け性を向上させることができる。
【００５２】
（第４実施形態）
図１９及び図２０は水タンク２９に貯留した水で塵埃を捕集する電気掃除機の変形例を示している。従来の水タンクに貯留した水により全てのごみを取り除くタイプの電気掃除機は、水タンクの水に大きなごみも捕捉されるため、この汚れた水を水道の流しに流した場合には、配管が詰まってしまう虞があった。そこで、第４実施形態の電気掃除機は、図１９に示すように本体ケース３１内に形成された水タンク２９より上流側に、旋回流を発生させることによりごみと空気とを分離するサイクロン機構３０を配設した構成になっている。
【００５３】
吸込具ケース４を介して吸込まれたごみは、サイクロン機構３０により大きなごみが取り除かれて微細なごみは接続用吸込口３２を介して本体ケース３１内に供給される。本体ケース３１の底部には水タンク２９が形成されており水が貯留されている。本体ケース３１内に供給された空気は水タンク２９周辺を旋回することにより微細なごみが水タンク２９の水に溶け込み微細なごみが取り除かれた空気は本体ケース３１外へ排気される。そして、微細なごみが溶け込むことにより濁った程度の水タンク２９の水は水道の流しに流される。この水タンク２９の水には大きなごみが含まれていないため、配管が詰まってしまう虞はない。
【図面の簡単な説明】
【００５４】
【図１】本発明を実施するための第１実施形態の床用吸込具の側断面図である。
【図２】同床用吸込具の上面図で、一部断面にした状態を示す。
【図３】同床用吸込具の上面図で、別の一部を断面にした状態を示す。
【図４】同床用吸込具の側断面図で、回転体にウェットシートを巻き付ける前の状態を示す。
【図５】同床用吸込具の上面図で、回転体にウェットシートを巻き付ける前の状態を示す。
【図６】同床用吸込具の側断面図で、回転体にウェットシートを巻き付けている途中の状態を示す。
【図７】同床用吸込具の側断面図で、回転体にウェットシートを巻き付けた状態を示す。
【図８】同床用吸込具の裏面図で、回転体全周に起毛繊維を配設した状態を示す。
【図９】本発明を実施するための第２実施形態の床用吸込具の側断面図である。
【図１０】同床用吸込具の上面図で、一部断面にした状態を示す。
【図１１】同床用吸込具の側断面図で、回転防止部の形状を示す。
【図１２】同床用吸込具の裏面図で、回転防止部の形状を示す。
【図１３】同床用吸込具の裏面図で、回転体と回転ブラシが取換え可能になっている状態を示す。
【図１４】同床用吸込具の裏面図で、回転体と回転ブラシとを取換えた状態を示す。
【図１５】本発明を実施するための第３実施形態の床用吸込具の側断面図である。
【図１６】同床用吸込具の上面図で、上ケースを取り外した状態を示す。
【図１７】同床用吸込具の上面図である。
【図１８】同床用吸込具の側面図で、変形例を示す。
【図１９】本発明を実施するための第４実施形態の電気掃除機の側面図である。
【図２０】同電気掃除機の本体ケースの側断面図である。
【符号の説明】
【００５５】
３      吸込口
４      吸込具ケース
５      回転ブラシ
６      回転体
７      駆動伝達手段
８      駆動手段
９      ウェットシート
１６    仕切壁
２１    回転阻止部
【図１】
2005304954.tif 000003
【図２】
2005304954.tif 000004
【図３】
2005304954.tif 000005
【図４】
2005304954.tif 000006
【図５】
2005304954.tif 000007
【図６】
2005304954.tif 000008
【図７】
2005304954.tif 000009
【図８】
2005304954.tif 000010
【図９】
2005304954.tif 000011
【図１０】
2005304954.tif 000012
【図１１】
2005304954.tif 000013
【図１２】
2005304954.tif 000014
【図１３】
2005304954.tif 000015
【図１４】
2005304954.tif 000016
【図１５】
2005304954.tif 000017
【図１６】
2005304954.tif 000018
【図１７】
2005304954.tif 000019
【図１８】
2005304954.tif 000020
【図１９】
2005304954.tif 000021
【図２０】
2005304954.tif 000022